(57)【要約】【課題】本発明は、熱交換器に対する特別な加工が不要となって工数低減に寄与するとともに、熱交換器の大型化を推進して熱交換性能の向上化を得られ、ドレンポンプのメンテナンス作業の向上化を得る天井カセット形空気調和機を提供する。【解決手段】空気調和機本体１の下面に開口部を有し、空気調和機本体の内部に、下面開口部の略中央部位に対向して配置される送風機５と、送風機の吹出し側である周囲を囲んで配置される熱交換器６と、この熱交換器の下部に設けられドレン水を受けるドレンパン７を収容し、空気調和機本体の下面開口部を閉成する化粧パネル２は、送風機および熱交換器の内側部に対向して吸込み口１２を備えるとともに熱交換器の外側部と空気調和機本体側壁との間に対向して吹出し口１５を備え、吸込みグリル１３を吸込み口に開閉自在に嵌め込み、ドレンパン内に集溜するドレン水を汲み上げて外部へ排出するドレンポンプ１０は、熱交換器の熱交換用空気を導入する１次側に配置する。【選択図】    図１
2009103384.tif 000002
【特許請求の範囲】
【請求項１】
下面が開口する筐体である空気調和機本体と、
この空気調和機本体の内部に収容され、上記下面開口部の略中央部位に対向して配置され軸方向から空気を吸込んで周方向へ吹出す送風機と、この送風機の吹出し側である周囲を囲んで配置される熱交換器および、この熱交換器の下部に設けられ熱交換器に生成されるドレン水を受けるドレンパンと、
上記空気調和機本体の下面開口部を閉成し、上記送風機および上記熱交換器の内側部に対向して吸込み口を備えるとともに、上記熱交換器の外側部と空気調和機本体側壁との間に対向して吹出し口を備えた化粧パネルと、
この化粧パネルの上記吸込み口に開閉自在に嵌め込まれる吸込みグリルと、
上記ドレンパン内に集溜するドレン水を汲み上げて外部へ排出するドレンポンプと
を具備し、
上記ドレンポンプは、上記熱交換器の熱交換用空気を導入する１次側に配置されることを特徴とする天井カセット形空気調和機。
【請求項２】
上記ドレンパンは、少なくとも一部が上記化粧パネルの吸込み口と対向するよう突出する突部を有し、この突部にドレン排水用のドレン口が設けられ、このドレン口に開閉自在に閉塞する閉塞部材が設けられることを特徴とする請求項１記載の天井カセット形空気調和機。
【請求項３】
上記ドレン口は、上記ドレンポンプの直下部に対向するドレンパン底面壁部位に設けられ、ドレンポンプが挿通自在な直径に開口されることを特徴とする請求項２記載の天井カセット形空気調和機。
【発明の詳細な説明】
【技術分野】
【０００１】
本発明は、空気調和機本体を天井埋込み型とした天井カセット形空気調和機に係り、特にドレンポンプの取付け構造の改良に関する。
【背景技術】
【０００２】
天井カセット形空気調和機は、空気調和機本体が天井内に取付けられる。空気調和機本体内部の略中央部に送風機が配置され、送風機の周囲を囲み、平面視で略矩形枠状の熱交換器が配置される。熱交換器の下部にはドレン水を受けるドレンパンを備え、このドレンパンにドレン水を屋外へ排出するドレンポンプを備えている。
【０００３】
空気調和機本体の下面には開口部が設けられていて、この開口部を化粧パネルで閉成している。上記化粧パネルには、送風機および熱交換器の内側部に対向して吸込み口が設けられるとともに、熱交換器の外側部と空気調和機本体側壁との間に対向して吹出し口が設けられる。
【０００４】
上記ドレンパンには、ドレンホースが詰った場合、またはドレンポンプの故障の際にドレンパンに溜ったドレン水を機外へ強制的に排出するため、あるいは長期に亘る使用によりドレンパン内に生成し蓄積された水垢状物質を除去する等のメンテナンス作業のために、ドレン口が設けられる。
【０００５】
たとえば、［特許文献１］では、ドレン口を封止するドレンキャップを、ドレン口に対して着脱自在とするとともに水密的に固定できるように構成している。さらに、ドレンキャップの略中央部に排水孔を設け、この排水孔に対して着脱自在で水密的に固定できる排水栓を設けた技術が開示されている。
【特許文献１】特開２００７−８５６９０号公報
【発明の開示】
【発明が解決しようとする課題】
【０００６】
ところで、熱交換器を基準にして、吸込み口側が熱交換空気を導入する「１次側」と呼ぶとすると、吹出し口側が熱交換空気を導出する「２次側」となる。上記［特許文献１］において、ドレンポンプは、熱交換器の２次側である熱交換器の外側部と空気調和機本体側壁との間に取付けられている。
【０００７】
一方、空気調和機本体の外形寸法は、大型化抑制の点から基準範囲に定めている。さらに、吸込み口の開口面積は必要な熱交換量を確保するために、可能な限り最大寸法に定めている。当然ながら、上記ドレンポンプにおいても所定の直径寸法があるから、ドレンポンプを熱交換器の２次側に配置すると、そのままでは熱交換器が収まりきれない。
【０００８】
［特許文献１］では特に説明されていないが、対策として、熱交換器の一部を内側へ突出する。あるいは、熱交換器隅部の角を落として斜め形状とし、これらの変形部内側にドレンポンプを配置する。したがって、熱交換器の２次側にドレンポンプを配置できるが、そのために熱交換器に特別な加工を施す必要があり、工数が嵩む。
【０００９】
また、実際にはドレンポンプに対するメンテナンスも必要である。このときは、ドレンポンプが熱交換器の２次側に配置されているので、化粧パネルと、電気部品箱と、ドレンパンを、順次取外すことにより、漸くドレンポンプの取外しが可能となる。したがって、ドレンポンプのメンテナンス作業は非常に手間がかかる。
【００１０】
本発明は上記事情にもとづきなされたものであり、その目的とするところは、熱交換器に対する特別な加工を不要として工数低減に寄与するとともに、熱交換器の大型化を推進して熱交換性能の向上化を得られ、ドレンポンプのメンテナンス作業の向上化を得る天井カセット形空気調和機を提供しようとするものである。
【課題を解決するための手段】
【００１１】
上記目的を満足するため本発明の天井カセット形空気調和機は、筐体である空気調和機本体の下面に開口部を有し、空気調和機本体の内部に、下面開口部の略中央部位に対向して配置する送風機と、送風機の吹出し側である周囲を囲んで配置する熱交換器および、この熱交換器の下部に設けられ熱交換器で生成するドレン水を受けるドレンパンを収容し、空気調和機本体の下面開口部を閉成する化粧パネルは室内送風機および熱交換器の内側部に対向して吸込み口を備えるとともに熱交換器の外側部と空気調和機本体側壁との間に対向して吹出し口を備え、吸込みグリルを化粧パネルの吸込み口に開閉自在に嵌め込み、ドレンパン内に集溜するドレン水を汲み上げて外部へ排出するドレンポンプは、熱交換器の熱交換空気を導入する１次側に配置する。
【発明の効果】
【００１２】
本発明によれば、熱交換器に対する特別な加工が不要となって工数低減に寄与し、熱交換器の大型化を推進して熱交換性能の向上化を得られ、ドレンポンプのメンテナンス作業の向上化を得るなどの効果を奏する。
【発明を実施するための最良の形態】
【００１３】
以下、本発明の実施の形態を図面にもとづいて説明する。（なお、文中に符号の付していない構成部品および構成部位については図示していない。また、図の煩雑さを避けるために意図して構成部品および構成部位に符号を付していない場合もある）  
図１は、本発明の一実施の形態に係る天井カセット形空気調和機を見上げた状態での斜視図である。図２は、天井カセット形空気調和機の底面図である。図３は、図２の一部拡大図である。
【００１４】
天井カセット形空気調和機は、天井板に設けられた取付け用開口部に室内側から挿入され、吊り下げボルト等を介して、いわゆる天井裏に吊持固定される空気調和機本体１と、この空気調和機本体１の下面部に取付けられ天井板から室内側に露出する化粧パネル２とから構成される。
【００１５】
前記空気調和機本体１は、下面部が開口し、天板部１ａと側面部に金属薄板を加工してなる板金製のケーシング３を備えている。このケーシング３の内周面は発泡スチロール材等からなる断熱材が取付けられ、内周面全面に亘って断熱材で覆われている。したがって、空気調和機本体１は断熱構造をなしている。
【００１６】
空気調和機本体１内部における下面開口部の略中央部に対向して、ファンガードで保護された送風機５が配置される。この送風機５は、軸方向から空気を吸込んで周方向へ吹出す、いわゆる遠心ファン（「ターボファン」とも呼ばれる）を備えている。送風機５の上方部位は天板部１ａで覆われるので、下面開口部が送風機５の吸込み側に存在する。
【００１７】
上記送風機５の吹出し側である周囲を囲むようにして、平面視で略四角枠状の熱交換器６が配置される。前記熱交換器６の下部にはドレンパン７が設けられていて、冷房運転時に熱交換器６の熱交換作用にともなって生成されるドレン水をドレンパン７が受けるようになっている。
【００１８】
上記ドレンパン７は、上記空気調和機本体１の周壁に嵌め込まれていて、外側の辺部に内側ヘ向って凹陥形成される凹陥部ａを有する。さらに、ドレンパン７は、一つの内角隅部のみが内径方向へ向って突出形成されていて、この突部７ａのドレンパン７底面壁にドレン口８が設けられる。
【００１９】
上記ドレン口８は、メンテナンス時などドレンパン７に残留するドレン水や水垢状物質等（以下、これらを総称して、「ドレン水」と呼ぶ）を排出処理するための開口部であるが、後述するように、ドレンポンプ１０を空気調和機本体１から取外し、必要なメンテナンスを行うためのメンテナンス用口を兼ねる。
【００２０】
前記ドレン口８は、閉塞部材であるドレンキャップ１８によって開閉自在に閉塞される。図１および図２は、ドレン口８からドレンキャップ１８を取外した状態を示している。図３は、図２のドレン口８からドレンキャップ１８を取外し、ドレン口８とその周辺部分を拡大して示している。
【００２１】
特に図３に示すように、開口されたドレン口８から後述するドレンポンプ１０が見えている。すなわち、ドレンポンプ１０はドレン口８の真上部位に設けられている。換言すれば、ドレンポンプ１０の直下部位にドレン口８が設けられていて、ドレンポンプ１０の中心軸がドレン口８の中心軸と一致するよう取付けられる。
【００２２】
しかも、ドレン口８の直径はドレンポンプ１０の直径よりも大に形成されていて、ドレン口８からドレンポンプ１０の外周面が完全に見える。そのため、メンテナンス時など必要に応じてドレンポンプ１０を取外すことにより、ドレンポンプ１０はドレン口８に対して挿通自在となっている。
【００２３】
上記ドレン口８の近傍部位で、かつドレンパン７の内側一部に沿って電気部品箱１１が設けられる。この電気部品箱１１は、空気調和機本体１内に収容されている電動部品を制御する電気部品や、リモコンに対する送受信をなす電気部品等を収容するためのものである。
【００２４】
前記ケーシング３の下面開口部は、図１のみに示す前記化粧パネル２によって閉成されている。この化粧パネル２は、たとえば合成樹脂材から成型されて美麗に仕上げられており、天井板から室内に対して露出し、空気調和機本体１周面と天井板の取付け用開口部との隙間を遮蔽する。
【００２５】
化粧パネル２の略中央部には吸込み口１２が開口されていて、フィルタを備えた吸込みグリル１３によって開閉自在である。図１は吸込みグリル１３を開放して吸込み口１２を露出した状態を示している。図２は空気調和機本体１から化粧パネル２を取外した状態を示している。
【００２６】
なお説明すると、前記吸込み口１２は送風機５および熱交換器６の内側部と対向する部位に開口していて、略矩形状をなしている。この吸込み口１２に前記吸込みグリル１３が開閉自在に取付けられている。  
前記吸込みグリル１３は、吸込み口１２における室内空気の流通を可能としながら、吸込み口１２からケーシング３内部に対する遮蔽をなす。メンテナンス時には、吸込みグリル１３を開放することでフィルタを取外すことができ、室内床上でのフィルタの掃除が可能である。
【００２７】
上記ドレンパン７に設けられるドレン口８は、ドレンパン７の一つの内角隅部に設けられるところから、上記吸込み口１２と対向する部位にある。また、化粧パネル２の各辺部に沿って吹出し口１５が設けられていて、これは空気調和機本体１側面壁とドレンパン７の凹陥部ａとで形成される隙間部に対向する。
【００２８】
熱交換器６を基準にした熱交換空気の流れは、吸込み口１２側が熱交換空気を導入する「１次側」と呼ぶとすると、吹出し口１５側が熱交換空気を導出する「２次側」となる。上記ドレン口８は吸込み口１２と対向する部位に設けられるところから、熱交換器６の１次側に設けられる。
【００２９】
また、ドレンポンプ１０はドレン口８の真上部位に設けられている。換言すれば、ドレンポンプ１０の直下部位にドレン口８が設けられていて、ドレンポンプ１０も熱交換器６の１次側に設けられることになる。しかも、ドレン口８の直径はドレンポンプ１０の直径よりも大に形成され、ドレンポンプ１０はドレン口８に対して挿通自在である。
【００３０】
化粧パネル２と送風機５との間にはベルマウス１６が設けられ、周囲を上記ドレンパン７で囲まれる。ベルマウス１６は、送風機５側が小径で、化粧パネル２の吸込み口１２側が大径のホーン状に形成される。一部は上記電気部品箱１１によって吸込み口１２に対して遮蔽されるが、送風案内の機能は保持している。
【００３１】
つぎに、ドレンポンプ１０の取付け構造について詳述する。  
図４は空気調和機本体一部の概略構成図であり、ドレンポンプ１０の取付け構造を説明する図である。図５は空気調和機本体一部の斜視図であり、空気調和機本体１の天板部１ａを除去して内部を露出しドレンポンプ１０の取付け構造を説明する図である。
【００３２】
上記ドレンポンプ１０は吸込み部１０ａを下部側であるドレン口８に向け、上端面がポンプ支持具１７に取付けられている。ドレン口８にドレンキャップ１８が嵌め込まれた状態で、ドレンポンプ１０の吸込み部１０ａ端面とドレンキャップ１８との間隔は極くわずかでしかなく、ドレンポンプ１０の下部側の略半分はドレンパン７内に位置する。
【００３３】
すなわち、ドレンポンプ１０の吸込み部１０ａはドレンパン７に集溜するドレン水内に完全に浸漬するよう支持される。ドレンポンプ１０を支持するポンプ支持具１７は、ポンプ支持部１７ａから直上部位へ延出される脚部１７ｂを備えていて、この脚部１７ｂの上端は空気調和機本体１を構成する天板部１ａに取付け固定される。
【００３４】
図４に示すドレンポンプ１０の裏面側には、吸込み部１０ａから吸込んだドレン水を吐出する吐出部が設けられていて、ここにドレンホース１９の一端部が接続される。ドレンホース１９は、吐出部からポンプ支持具１７の脚部１７ｂ間に巻回され、さらに上記熱交換器６の上端部と空気調和機本体天板部１ａとの間を越えて引き回される。
【００３５】
すなわち、空気調和機本体１の天板部１ａにおいて、ケーシング３の内面に取付けられる断熱材４の一部が凹陥形成されていて、この凹陥部ｂにドレンホース１９が挿通される。  
上記断熱材４に対する加工は必要であるが、凹陥部ｂを形成するだけなので、ほとんど工数に影響しない。また、熱交換器６の上端部に対して何らの加工も不要であり、工数への影響は全く無い。
【００３６】
特に図４に示すように、上記熱交換器６は、その下端面がドレンパン７の底面壁に一体に設けられる突堤部ｄに載置される。一方で、熱交換器６の上端面は空気調和機本体１の天板部１ａに設けられる断熱材４に接触している。すなわち、熱交換器６は空気調和機本体天板部１ａとドレンパン７との間に、上下方向から挟持固定されている。
【００３７】
ただし、ドレンパン７において、熱交換器６を支持する突堤部ｄがドレンパン７の底面壁全周に亘って設けられていると、熱交換器６で生成されるドレン水が突堤部ｄの内側と外側に二分されてしまう。これに対して、上記ドレン口８とドレンポンプ１０は熱交換器６の内側部位に設けられている。
【００３８】
熱交換器６で生成され流下して突堤部ｄの内側に集溜するドレン水は、そのままドレン口８およびドレンポンプ１０に導かれるが、突堤部ｄの外側に集溜するドレン水はそこで溜ってしまい、突堤部ｄをオーバーフローしない限りドレン口８とドレンポンプ１０に導かれないこととなる。
【００３９】
そのため、突堤部ｄの少なくとも一箇所において、ある程度の長さ寸法をもって突堤部ｄが切欠加工され、中断された中断部ｅとなる。この中断部ｅにおいてドレンパン７の底面壁が露出し、熱交換器６から突堤部ｄの外側部位に流下したドレン水は、中断部ｅを介して内側部位に導かれ、ドレン口８やドレンポンプ１０から排出されることになる。
【００４０】
つぎに、ドレン口８とドレンキャップ１８について詳述する。  
図６はドレン口８からドレンキャップ１８と外蓋カバー２０を取外した斜視図、図７はドレンキャップ１８の正面図と、Ｂ−Ｂ線に沿う断面図である。  
上記ドレンパン７に設けられるドレン口８は、その周面に沿って突部が下方に一体に設けられていて、この突部の内周面に雌ねじ部ｆが設けられる。これに対して上記ドレンキャップ１８は、ドレン口８の直径よりも大なる直径の円形をなすフランジ部１８ａと、このフランジ部１８ａの一側面に突設され、その外周面に上記雌ねじ部ｆと螺合可能な雄ねじ部ｇを備えている。
【００４１】
このことにより、ドレンキャップ１８の雄ねじ部ｇをドレン口８の雌ねじ部ｆに螺合締結することで、ドレンキャップ１８はドレン口８を閉塞する。いわゆる、スクリューキャップ構造を採用することとなり、水漏れのない確実な閉栓作業を行える。または、ドレンキャップ１８をドレン口８から螺脱し取外すことで、ドレン口８を完全開口できるようになっている。
【００４２】
さらに、ドレンキャップ１８の雄ねじ部ｇには、周方向に沿って複数のドレン排水用孔２２が互いに間隔を存して設けられている。一方、ドレン口８の雌ねじ部ｆには、上記ドレン排水用孔２２と略同一寸法、もしくは小さい寸法に開口されるドレン排水用溝２３が１ヶ所設けられる。
【００４３】
ドレン口８のドレン排水用溝２３は、ドレンキャップ１８がドレン口８を完全閉塞する位置ではドレン排水用孔２２に連通しない。ドレンキャップ１８を回動してドレン口８に対する完全閉塞が解け、さらにドレンキャップ１８をある程度開放したときドレン排水用孔２２がドレン排水用溝２３に連通する。したがって、ドレン排水用孔２２とドレン排水用溝２３を介してドレンパン７内のドレン水が排水される。
【００４４】
これらドレン排水用孔２２とドレン排水用溝２３が設けられておらず、単にドレン口８をドレンキャップ１８が開閉自在とする構成であると、ドレンキャップ１８をドレン口８から取外したとき、ドレン口８からドレン水が瞬時に、かつ大量に排出されてしまう。そのため、ドレン水を受けきれずに周囲を濡らす虞れがあるが、上述の構成では徐々に排水されるので、全てを受けることができて周囲を濡らすことはない。
【００４５】
特に図７（Ａ）（Ｂ）で詳細に示すように、上記ドレンキャップ１８のフランジ部１８ａには、表面下部側へ突出するとともに、裏面が凹陥状に形成される把手部２５が一体に設けられている。したがって、ドレンキャップ１８をドレン口８に取付けるとき、もしくは取外すとき、上記把手部２５を摘みながらドレンキャップ１８を回動付勢すれば、容易に作業できる。
【００４６】
さらに、上記把手部２５の裏面側は凹陥部が一体に形成されることになり、この凹陥部に抗菌剤２６が取付けられる。ドレンキャップ１８でドレン口８を閉塞した状態で、ドレンキャップ１８の裏面側はドレンパン７に集溜するドレン水に浸漬される。そのため、ドレンパン７にドレン水を集溜したまま長期間が経過すると、ドレンキャップ１８とドレン口８周辺に雑菌類が付着し、水垢や異臭の発生原因となり易い。
【００４７】
そこで、ドレンキャップ１８の裏面側に抗菌剤２６を取付けることで、ドレンキャップ１８とドレン口８周辺の雑菌類の繁殖を抑制して、水垢や異臭の発生要因を除去する。ドレン水が清浄化されるところから、ドレンパン７全体に亘って雑菌類の繁殖を抑制し、ドレンポンプ１０やドレンホース１９における詰りの要因を除去できる。
【００４８】
再び図６に示すように、上記ドレンキャップ１８は、この下部側に着脱自在に取付けられる外蓋カバー２０によって覆われていて、通常の状態ではドレンキャップ１８の存在を確認できない。すなわち、上記外蓋カバー２０は化粧パネル２と同一の素材で、かつ同一色に形成されていて、ドレン口８の雌ねじ部ｆが設けられる突部の端末開口を開閉自在に閉塞している。
【００４９】
さらに上記外蓋カバー２０は、裏面側（上方）に突出する円環凹部２０ａが形成されていて、この円環凹部２０ａの外径寸法はドレン口８の直径寸法と同一である。したがって、外蓋カバー２０は突部端末に円環凹部２０ａをワンタッチで掛止固定できる。外蓋カバー２０の取外しにあたっては、円環凹部２０ａを摘んで引降せば、容易に取外せる。
【００５０】
以上要するに、ドレン口８に対して上記ドレンキャップ１８が内蓋となり、この下部側に外蓋である外蓋カバー２０が取付けられて、二重構造となっている。外蓋カバー２０とドレンパン７との間にはある程度の間隔が形成され、空気層を有する。  
そのため、ドレンパン７に集溜するドレン水の温度が低くドレンキャップ１８が冷却されても、空気層の存在によりドレンキャップ１８下面に露付きが生じることがない。ドレンキャップ１８のみであると、この下面に露付きが生じてそのまま室内に落下し、室内を濡らす虞れがあるが、外蓋カバー２０を設けることで防止できる。
【００５１】
このようにして構成された天井カセット形空気調和機において、送風機５が駆動されると室内空気が吸込みグリル１３と吸込み口１２を介し、ベルマウス１６に案内されて空気調和機本体１内に吸引される。室内空気は熱交換器６の一次側から熱交換器６を流通し、熱交換されてから二次側へ導出される。
【００５２】
そして、熱交換空気は吹出し口１５から室内へ吹出され、室内の空気調和をなす。特に冷房運転時には、熱交換器６の熱交換作用にともなってドレン水が生成され、ドレンパン７に滴下する。時間の経過とともにドレンパン７におけるドレン水の集溜量が増大し、水位が上昇する。
【００５３】
フロートスイッチがドレンパン７内のドレン水の水位を常時検知していて、ドレン水の水位が基準の最高水位を越えたことを検知すると、フロートスイッチは制御部へ検知信号を送る。制御部はドレンポンプ１０へ駆動信号を送り、ドレンポンプ１０はドレン水を吸上げドレンホース１９を介して外部へ排出する。
【００５４】
ドレンパン７に集溜されたドレン水は、ドレンパン７をオーバーフローすることなく円滑に排水される。ドレン水の水位が徐々に降下して最低基準水位にまで降下したことをフロートスイッチが検知すると、再び制御部へ検知信号が送られる。制御部はドレンポンプ１０に停止信号を送り、ドレン水の排水を停止させる。
【００５５】
メンテナンス作業時等で、ドレンパン７内に残留するドレン水を全て排出する場合は、ドレン口８から外蓋カバー２０とドレンキャップ１８を取外す。  
図８（Ａ）（Ｂ）（Ｃ）は、ドレン口８から外蓋カバー２０とドレンキャップ１８を取外す状態を順に示す説明図である。  
図８（Ａ）では、ドレン口８にドレンキャップ１８と外蓋カバー２０が取付けられ、ドレン口８を閉塞している。すなわち、ドレン口８の雌ねじ部ｆにドレンキャップ１８の雄ねじ部ｇが螺合され、かつ締結されている。上記ドレンポンプ１０の吸込み部１０ａは、ドレンキャップ１８の雄ねじ部ｇ内径側に挿入していて、ドレンパン７のドレン水を確実に吸込む位置にある。
【００５６】
このとき、ドレンキャップ１８の雄ねじ部ｇに設けられるドレン排水用孔２２は、ドレン口８の雌ねじ部ｆに設けられるドレン排水用溝２３と非対向位置にあり、ドレン口８周面に一体形成される突部で閉塞されているから、ドレン排水用孔２２からドレン水が排出されることはない。
【００５７】
上記ドレンキャップ１８の把手部２５裏面の凹陥部に充填される抗菌剤２６は、ドレン水に確実に浸漬状態にある。外蓋カバー２０はドレン口８の突部端末に嵌め込まれ、ドレンキャップ１８を覆い、ドレンキャップ１８との間に空気層を形成する。よって、ドレン水が低温でありドレンキャップ１８が冷却されても、この下面に露付きが生じない。
【００５８】
ドレンポンプ１０に対するメンテナンス作業にあたって、ドレン口８を開放してドレンパン７に集溜するドレン水を排出する必要がある。このときは、吸込みグリル１３を回動して空気調和機本体１の下面開口部を開放し、吸込み口１２と、ドレンパン７の突出部７ａに取付けられる外蓋カバー２０を露出する。
【００５９】
そこで図８（Ｂ）に示すように、外蓋カバー２０を取外して、ドレンキャップ１８を露出する。この状態でも、ドレンキャップ１８の雄ねじ部ｇに設けられるドレン排水用孔２２は、ドレン口８の雌ねじ部ｆに設けられるドレン排水用溝２３と非対向位置にあり、突部によって閉塞されているのでドレン排水用孔２２からドレン水が排出されない。
【００６０】
つぎに、ドレンキャップ１８の把手部２５を摘んで、雌ねじ部ｆと雄ねじ部ｇとの螺合締結が解除する方向へ回動操作する。ドレンキャップ１８のドレン口８に対する閉塞状態が緩んでから、さらにドレンキャップ１８を回動付勢すると、図８（Ｃ）に示すように、ドレンキャップ１８の雄ねじ部ｇに設けられるドレン排水用孔２２の一部が、ドレン口８の雌ねじ部ｆに設けられるドレン排水用溝２３に連通する。
【００６１】
ドレンパン７に集溜するドレン水は、ドレン排水用溝２３とドレン排水用孔２２を介してドレン口８から排出される。ドレン排水用溝２３に対するドレン排水用孔２２の連通面積を大にするほどドレン水の排出量が多くなるので、適宜排出量を調整すればよい。  
ドレンパン７からドレン水を完全排出したら、ドレンキャップ１８をドレン口８から取外す。結局、ドレン水を排出するにあたって周囲を濡らすことなく、確実に作業できる。ドレン口８を完全開放することで、先に図１および図２に示すように、ドレン口８からドレンポンプ１０が見える。
【００６２】
ドレンポンプ１０の直径はドレン口８の直径よりも小さく形成されているので、ドレンポンプ１０周面とドレン口８周面とはある程度の間隙を存している。そこで、この間隙に工具を差し込んで、ドレンポンプ１０をポンプ支持具１７に取付けていた固定具を取外す。全ての固定具を取外すまでは、工具を持たない方の手でドレンポンプ１０を支持し脱落を防止する。
【００６３】
全ての固定具を取外したら、ドレンポンプ１０を中心軸に沿って降下させる。ドレンポンプ１０はポンプ支持具１７から離間し、かつそのままドレン口８を挿通して空気調和機本体１から取外せる。したがって、ドレンポンプ１０に対するメンテナンスが、所望の部位で可能となる。
【００６４】
上述したように、ドレンポンプ１０を熱交換器６の１次側に配置することにより、ドレンポンプ１０を熱交換器６の２次側に配置する場合と比較して、空気調和機本体１の外形寸法を拡大することなく、熱交換器６をより大型化できる。これにともない、送風機５の大型化も図ることができ、熱交換性能の向上を得られる。
【００６５】
さらに、ドレンポンプ１０を熱交換器６の１次側に配置することにより、ドレンポンプ１０を熱交換器６の２次側に配置する場合のように、熱交換器６においてドレンポンプ１０を避ける加工が不要となり、工数の低減化を得られる。すなわち、コストの低減化に寄与する。
【００６６】
さらに、ドレンポンプ１０を熱交換器６の１次側に配置することにより、吸込みグリル１３を開放して吸込み口１２を露出すれば、吸込み口１２を介してドレンポンプ１０を取外せる。ドレンポンプ１０を熱交換器６の２次側に配置する場合のように、化粧パネル２、ドレンパン７、電気部品箱１１を取外す必要が無く、作業性の向上化を得る。
【００６７】
なお、上記ドレンパン７は、少なくとも一部が吸込み口１２と対向するよう突出し、この突部７ａにドレン口８を設け、このドレン口８をドレンキャップ１８で開閉自在に閉塞するようにしたから、吸込みグリル１３を開放して吸込み口１２を露出させればドレンキャップ１８に対するドレン口８の開放操作が容易に行えて、作業性の向上化を得られる。
【００６８】
上記ドレン口８は、ドレンポンプ１０の直下部のドレンパン７底面壁部位に設けられ、ドレンポンプ１０が挿通自在な直径に開口されているから、吸込みグリル１３を開放すればドレンポンプ１０に対するメンテナンス作業が可能となる。特に、ドレンパン７や電気部品箱１１などを取外す必要がなく、作業性の向上化を図れる。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより、種々の発明を形成できる。
【図面の簡単な説明】
【００６９】
【図１】本発明における一実施の形態に係る、天井カセット形空気調和機を見上げた状態での斜視図。
【図２】同実施の形態に係る、化粧パネルを取外した空気調和機本体の底面図。
【図３】同実施の形態に係る、図２の一部を拡大した図。
【図４】同実施の形態に係る、室内ユニットの一部の断面図。
【図５】同実施の形態に係る、室内ユニット一部の内部構成を示す図。
【図６】同実施の形態に係る、ドレンパンのドレン口（ドレンポンプ挿通口）に対してドレンキャップ（閉塞部材）と外蓋カバーを分解した斜視図。
【図７】同実施の形態に係る、ドレンキャップの正面図と、Ｂ−Ｂ線に沿う断面図。
【図８】同実施の形態に係る、ドレン口に対し外蓋カバーとドレンキャップを順に取外す操作を説明する図。
【符号の説明】
【００７０】
１…空気調和機本体、５…送風機、６…熱交換器、７…ドレンパン、１２…吸込み口、１５…吹出し口、２…化粧パネル、１３…吸込みグリル、１０…ドレンポンプ、７ａ…突部、８…ドレン口、１８…ドレンキャップ（閉塞部材）。
【図１】
2009103384.tif 000003
【図２】
2009103384.tif 000004
【図３】
2009103384.tif 000005
【図４】
2009103384.tif 000006
【図５】
2009103384.tif 000007
【図６】
2009103384.tif 000008
【図７】
2009103384.tif 000009
【図８】
2009103384.tif 000010